(57)【要約】【課題】  衝撃等が加えられても、スライダーが微動し、その繰り返しによってロックボルトがロック解除されることのないケース用施錠装置を得る。【解決手段】  ケース用施錠装置１００において、ケース本体５に固設され合鍵の挿入される錠本体Ａと、錠本体Ａに回転自在に設けられロック姿勢とロック解除姿勢とを繰り返すロックボルトＣと、合鍵の挿入のみによってタンブラー５５ａ，５５ｂ，５５ｃを係止状態から解除状態に従動させて移動可能となりロックボルトＣを所定角度回転させるスライダーＤと、スライダーＤの合鍵挿入空間３５に突出され押下したタンブラー５５ｃを係止状態に配置させるとともに合鍵の挿入によって挿入空間３５から押出されてタンブラー５５ｃの押下を解除する規制板Ｅとを設けた。【選択図】      図１
2006037460.tif 000002
【特許請求の範囲】
【請求項１】
開閉自在な蓋体を有するケース本体に固設され合鍵の挿入される錠本体と、
該錠本体に回転自在に設けられ所定の角度回転されるごとに前記蓋体に対しロック姿勢とロック解除姿勢とを繰り返すロックボルトと、
複数のタンブラーを有して前記錠本体に内設され前記合鍵の挿入のみによって該タンブラーを係止状態から解除状態に従動させて前記合鍵の挿入方向へ移動可能となり該移動によって前記ロックボルトを所定角度回転させるスライダーと、
該スライダーの合鍵挿入空間に合鍵の挿入方向と反する方向から付勢されて突出され、少なくとも一つの前記タンブラーを押下し係止状態に配置させるとともに前記合鍵の挿入によって前記挿入空間から押出されて前記タンブラーの押下を解除する規制板と、
を具備したことを特徴とするケース用施錠装置。
【発明の詳細な説明】
【技術分野】
【０００１】
本発明は、旅行用のスーツケースや、トランクケース等のケース類に用いて好適なケース用施錠装置に関する。
【背景技術】
【０００２】
貴重品なども収納され、所有者の手から離れて単体でも取り扱われることの多い例えばスーツケースなどのケース類では施錠装置（以下、「ケース用施錠装置」とも称す。）に高い信頼性が要求される。従来、この種のケース用施錠装置１は、図６に示すように、取っ手３を有するケース本体５と、このケース本体５に開閉自在となった蓋体７とからなるスーツケース９の、例えばケース本体５側に同一のものが左右一対設けられ、蓋体７をケース本体５に対して開閉不能及び開閉自在とするようにして施解錠を行う。
【０００３】
図７に示すように、ケース用施錠装置１は、平面視で矩形状に形成され、スーツケース９の両側（図６の左右側）方向に向く端部に、ラッチ１１、解除片１３が設けられるとともに、錠本体１５とラッチ１１との間には合鍵であるプレートキー１７が挿入されるキー挿入開口１９が設けられている。なお、図７中、２１は、ケース用施錠装置１の施錠状態・解錠状態に応じ表示内容が切り換わる施解錠状態表示部である。
【０００４】
従来より、この種のケース用施錠装置１は、下記特許文献１にも開示されるように、内部に、合鍵の挿入のみによってスライド移動可能となる図示しないスライダーを有している。スライダーは、複数のタンブラーを有し、合鍵の挿入によってこれらタンブラーのシアーラインが一致し、錠本体１５との係止が外れて移動可能となる。そして、錠本体１５には図示しないロックボルトが内蔵され、ロックボルトはスライダーの移動によって、ロック姿勢・ロック解除姿勢に順次切り換わり、蓋体をケース本体に施錠・解錠するように作動する。
【０００５】
したがって、ロックボルトがロック解除姿勢のとき、プレートキー１７がキー挿入開口１９に挿入されると、スライダーの移動が可能となり、プレートキー１７の押込みによってスライダーが移動されると、ロックボルトがロック解除姿勢からロック姿勢へと切り換わり、このロックボルトを介して蓋体７がケース本体５に施錠されることとなった。
【特許文献１】特開２００１−１０７６２０号公報
【発明の開示】
【発明が解決しようとする課題】
【０００６】
上記した従来のケース用施錠装置は、複数のタンブラーを有したスライダーが、このタンブラーを錠本体に係止することで移動が規制されている。このスライダーは、複数のタンブラーや、各タンブラーごとの付勢手段（コイルバネ）を備え、所定の強度を有する金属ブロック体からなるため、比較的重量が大きくなる。また、スライダーは、タンブラーが錠本体に係止した移動不能状態であっても、スライダー自身、タンブラー、錠本体のタンブラー係止部などの製造交差により、若干の移動が可能となる。これらの状況から、スーツケースに衝撃や振動による外力が加えられると、慣性力によってスライダーが微動し、この微動したスライダーがロックボルトに接触することがあった。そして、この微動による接触が繰り返されると、ロックボルトが徐々に回転され、場合によってはロック姿勢からロック解除姿勢へ至る虞があった。また、スライダーに押込み力を作用させながら、タンブラーを操作することで、タンブラーの全てをシアーラインに配置させて、スライダーの係止を解除して、不正解錠を行う所謂ピッキングに対しても、高い防犯性を備えている必要があった。
【０００７】
本発明は上記状況に鑑みてなされたもので、衝撃等が加えられても、スライダーが微動し、その繰り返しによってロックボルトがロック解除されることのないケース用施錠装置を提供し、もって、ケース用施錠装置の防犯性、信頼性の向上を図ることを目的とする。
【課題を解決するための手段】
【０００８】
次に、上記の課題を解決するための手段を、実施の形態に対応する図面を参照して説明する。
本発明に係るケース用施錠装置１００は、開閉自在な蓋体７を有するケース本体５に固設され合鍵Ｇの挿入される錠本体Ａと、
該錠本体Ａに回転自在に設けられ所定の角度回転されるごとに前記蓋体７に対しロック姿勢とロック解除姿勢とを繰り返すロックボルトＣと、
複数のタンブラー５５ａ，５５ｂ，５５ｃを有して前記錠本体Ａに内設され前記合鍵Ｇの挿入のみによって該タンブラー５５ａ，５５ｂ，５５ｃを係止状態から解除状態に従動させて前記合鍵Ｇの挿入方向へ移動可能となり該移動によって前記ロックボルトＣを所定角度回転させるスライダーＤと、
前記スライダーＤの合鍵挿入空間３５に合鍵Ｇの挿入方向と反する方向から付勢されて突出され、少なくとも一つの前記タンブラー５５ｃを押下し係止状態に配置させるとともに前記合鍵Ｇの挿入によって前記挿入空間３５から押出されて前記タンブラー５５ｃの押下を解除する規制板Ｅと、
を具備したことを特徴とする。
【０００９】
このケース用施錠装置１００では、タンブラー５５ｃが規制板Ｅによって押下されることで、強制的に錠本体Ａ側へ係止固定され係止状態となり、タンブラー５５ｃがバネの付勢力によって係止位置に配置されるのみの場合、すなわち移動可能に配置されてこの係止位置となっている場合に比べ、衝撃や振動に対する対抗力（保持力）が増強される。また、少なくとも一つのタンブラー５５ｃが規制板Ｅによって覆い隠されるので、タンブラー５５ａ，５５ｂ，５５ｃの全てが視認困難となる。さらに、スライダーＤに押込み力を加えながら、細棒等を挿入してタンブラー５５ａ，５５ｂ，５５ｃを不正操作するピッキングが行われても、その都度、規制板Ｅが付勢手段８５によって挿入空間３５へ突出されてきてタンブラー５５ｃが覆われることになる。
【発明の効果】
【００１０】
本発明に係るケース用施錠装置によれば、合鍵の挿入によってスライダーを移動させ、ロックボルトをロック解除姿勢へ回転させるケース用施錠装置において、押下した少なくとも一つのタンブラーを係止状態に配置させるとともに合鍵の挿入によって挿入空間から押出されてタンブラーの押下を解除する規制板を設けたので、タンブラーが規制板の押下によって、強制的に錠本体側へ係止固定され係止状態となり、別言すると、挿入空間には合鍵とは異なる鍵（異鍵）が挿入されたような状態となってタンブラーが押下となり錠本体側へ係止状態となり、タンブラーがバネの付勢力によって係止位置に配置されるのみの場合に比べ、衝撃や振動に対する対抗力を強くすることができる。したがって、衝撃等が加えられても、タンブラーの係止が解除されたり、スライダーが慣性力によって微動し、その繰り返しによってロックボルトがロック解除姿勢まで回転されてしまう事態を防止することができる。また、少なくとも一つのタンブラーが規制板によって覆い隠されるので、タンブラーの全てが視認できなくなり、ピッキングを困難にすることができる。さらに、スライダーに押込み力を加えながら、細棒等を挿入してタンブラーを不正操作するピッキングが行われても、その都度、規制板が付勢手段によって挿入空間へ突出されてきてタンブラーを覆うので、全てのタンブラーを不正にシアーラインに配置させるピッキングを困難にできる。この結果、振動・衝撃による不意な解錠や、ピッキングによる不正な解錠を阻止して、ケース用施錠装置の信頼性、防犯性を向上させることができる。
【発明を実施するための最良の形態】
【００１１】
以下、本発明に係るケース用施錠装置の好適な実施の形態を図面を参照して詳細に説明する。
図１は本発明に係るケース用施錠装置の解錠状態の断面図、図２はスライダー、プレートキーの斜視図、図３は図２に示したスライダーの拡大斜視図である。なお、図６、図７に示した部材と同一の部材には同一の符号を付し、重複する説明は省略するものとする。
本実施の形態によるケース用施錠装置１００は、錠本体Ａと、ラッチＢと、ロックボルトＣと、スライダーＤと、規制板Ｅと、合鍵であるプレートキーＧとを主要な構成部材として有している。
【００１２】
スーツケース９は、ケース本体５に対し、蓋体７が開閉自在となる。ケース本体５にはケース用施錠装置１００の錠本体Ａが固設される。錠本体Ａは、図１の左方に位置する図示しない揺動部により解錠状態でかつラッチＢの係止が解除されることで、図中右端側が上方に跳ね上がる。錠本体Ａの右端には、ラッチＢが軸３１を介して回動自在に設けられ、ラッチＢは蓋体７側に設けられた図示しない係止板に一方の揺動位置で下端が係止することで、蓋体７の開放を規制する。このラッチＢは、ラッチＢと共に錠本体Ａに回動自在に設けられる操作片３３によって係止解除方向（図１の矢印ａ方向）への回動操作が可能となる。
【００１３】
錠本体ＡにはプレートキーＧの挿入空間３５が形成され、挿入空間３５はキー挿入口３７となって開口される。この挿入空間３５は、より具体的には錠本体Ａの内部に収容されたスライダーＤ内に形成される。つまり、キー挿入口３７から挿入されたプレートキーＧは、錠本体Ａ内のスライダーＤ（挿入空間３５）へ挿入されることとなる。ラッチＢの上部には開口閉鎖片３９が斜めに延設され、開口閉鎖片３９はラッチＢの係止状態においてキー挿入口３７を閉鎖する。ラッチＢは、所定厚のプレートキーＧがキー挿入口３７に挿入されることにより、開口閉鎖片３９が押圧されて係止解除方向へ回転され、蓋体７との係止が解除されるようになっている。
【００１４】
錠本体ＡにはロックボルトＣが内蔵され、ロックボルトＣは上端面の凹部４１を、錠本体Ａの突起軸４３に嵌合させて回転自在となる。ロックボルトＣの下端には図１の左右方向に長いロック杆４５が設けられ、ロック杆４５は蓋体７に形成されたスリット４７に対し、長手方向を一致させることで挿脱が可能になるとともに、スリット４７の長手方向に直交する方向に配置されることで、蓋体７からの抜脱が不能（ロック状態）となる。このロックボルトＣは、後述するように、スライダーＤの押込みにより、所定の角度（例えば９０°）ごとに回転され、ロック姿勢とロック解除姿勢とを繰り返す。
【００１５】
また、ロックボルトＣの上端の軸外周には表示円盤４９が相対回転不能に嵌合され、表示円盤４９は１８０°ごとに施錠マークが記されている。この表示円盤４９の施錠マークは、錠本体Ａの上面に穿設された表示窓５１から視認可能となる。つまり、ロックボルトＣが一方向へ９０°ごとに回転されることで、表示窓５１からは施錠マーク、非施錠マーク（無印）が繰り返し表示され、ケース用施錠装置１００の施解錠状態が視認できるようになっている。
【００１６】
スライダーＤは、錠本体Ａ内において、付勢手段である圧縮コイルバネ５３によって、図１の右方へ付勢されている。スライダーＤには複数（本実施の形態では３つ）のタンブラー５５ａ，５５ｂ，５５ｃがプレートキーＧの挿入方向に並べられ、タンブラー５５ａ，５５ｂ，５５ｃは挿入空間３５へ臨んでいる。タンブラー５５ａ〜５５ｃは、スライダーＤの幅方向（図１の紙面直交方向）に長い板形状となり、上面には一対の三角突起５７が長手方向に離間配置されている。スライダーＤの下面には蓋材５９が固定され、この蓋材５９とそれぞれのタンブラー５５ａ〜５５ｃの間には圧縮スプリング６１，６１，６１が配設されている。タンブラー５５ａ〜５５ｃは、この圧縮スプリング６１の付勢力によって、長手方向のいずれか一端が上方、他端が下方へ位置するように傾斜姿勢、或いは両端が上方へ位置するような姿勢をとる。各タンブラー５５ａ〜５５ｃは、正規のプレートキーＧが挿入空間３５へ挿入されることにより、この傾斜配置から、圧縮スプリング６１の付勢力に抗して水平配置される。
【００１７】
プレートキーＧには、各タンブラー５５ａ〜５５ｃの三角突起５７に一致した進入孔６３が複数穿設されている。各タンブラー５５ａ〜５５ｃは、所定の進入孔６３の穿設されたプレートキーＧが挿入されることのみによって、三角突起５７が所定深度で進入孔６３に進入し、その結果、水平に配置されるようになっている。タンブラー５５ａ〜５５ｃの長手方向両端には係止突起６５，６５が突設され、この係止突起６５は錠本体Ａの内壁に形成された図示しない係止溝に係止する。このタンブラー５５ａ〜５５ｃの係止突起６５は、タンブラー５５ａ〜５５ｃがプレートキーＧによって水平配置された状態でのみ、錠本体Ａの係止溝から外れ、スライダーＤの移動を可能とする。つまり、スライダーＤは、通常状態において、係止突起６５が錠本体Ａの係止溝に係止し、スライド不能となる一方、プレートキーＧが挿入された状態においてのみ、全てのタンブラー５５ａ〜５５ｃが水平配置され、その結果、係止突起６５が係止溝から外れて（シアーラインが一致して）、プレートキーＧの挿入方向へ移動可能となる。
【００１８】
スライダーＤには移動方向に長い貫通孔６７が穿設され、この貫通孔６７には上記のロックボルトＣの中央部が貫通される。スライダーＤにはロックボルト係合ピン６９がバネ７１によって突出され、ロックボルト係合ピン６９はスライダーＤが移動されるごとに、ロックボルトＣのフランジ部７３に９０°間隔に形成された図示しない段部に当接し、ロックボルトＣを９０°ごとに回転させる。
【００１９】
図３に示すように、スライダーＤの挿入空間３５には両側部に、プレートキーＧの挿入方向に沿う一対のガイド溝８３，８３が形成されている。このガイド溝８３，８３は、プレートキーＧの両側縁を進入させて、プレートキーＧの挿入を案内する。挿入空間３５には規制板Ｅが退出可能に突出され、規制板Ｅはこのガイド溝８３，８３に両側縁を進入させて、プレートキーＧの挿入方向にスライド自在となる。なお、本実施の形態では、この規制板Ｅは、プレートキーＧと略同等の厚さで構成される。
【００２０】
規制板Ｅの後部とスライダーＤ内壁との間には圧縮バネ８５が配設され、圧縮バネ８５は規制板ＥをプレートキーＧの挿入方向と反する方向へ付勢している。規制板ＥとスライダーＤとの間には図示しない飛出規制手段が設けられ、この飛出規制手段は規制板Ｅが最後部のタンブラー５５ｃより飛び出ることを規制している。つまり、最後部のタンブラー５５ｃは、規制板Ｅによって覆い隠されている。
【００２１】
規制板Ｅに覆われたタンブラー５５ｃは、規制板Ｅによって圧縮スプリング６１の付勢力に抗して押下され、係止突起６５が錠本体Ａの係止溝に係止される。規制板Ｅは、プレートキーＧが挿入空間３５に挿入されることで、プレートキーＧの先端で押込まれて、挿入空間３５から退出される。これにより、規制板Ｅによるタンブラー５５ｃへの押下は解除される。タンブラー５５ｃは、規制板Ｅが退出されることで、今度はプレートキーＧによって所定の長さを押下されることとなる。
【００２２】
次に、このように構成されたケース用施錠装置１００の作用を説明する。
図４はプレートキーが挿入されたケース用施錠装置の断面図、図５はプレートキーによりスライダーが移動されロックボルトがロック姿勢となった状態の断面図である。
図１に示したロックボルトＣの解錠状態において、ロックボルトＣのロック杆４５は、蓋体７のスリット４７と長手方向が同方向に配置されている。したがって、操作片３３が操作され、ラッチＢが矢印ａ方向に回転されることで、ラッチＢと図示しない係止板との係止が解除される。この状態で、錠本体Ａの右端が上方へ跳ね上げられることで、蓋体７がケース本体５から開放可能となる。
【００２３】
一方、図４に示すように、プレートキーＧがキー挿入口３７から挿入されると、ラッチＢの開口閉鎖片３９が押圧され、キー挿入口３７が開口されるとともに、ラッチＢが矢印ａ方向へ回転される。プレートキーＧがキー挿入口３７に挿入されると、タンブラー５５ｃを覆っていた規制板ＥがプレートキーＧによって押し込められ、規制板Ｅが挿入空間３５から退出される。プレートキーＧが規制板Ｅを押込めて、挿入空間３５に完全挿入されると、スライダーＤの上面に位置した各タンブラー５５ａ〜５５ｃの三角突起５７がプレートキーＧのそれぞれの所定の進入孔６３（図２参照）に進入する。
【００２４】
各タンブラー５５ａ，５５ｂ，５５ｃは、各三角突起５７が所定の進入孔６３に進入することで、かつ、各三角突起５７の突出形状と進入孔６３の内径との組合せにより、水平に配置され、全てのタンブラー５５ａ〜５５ｃが水平配置されると、タンブラー５５ａ〜５５ｃの両側の係止突起６５（図２参照）が、錠本体Ａの図示しない係止溝から外れ、すなわち、シアーラインが一致し、スライダーＤが移動可能となる。
【００２５】
この状態で、図５に示すように、さらにプレートキーＧが押込まれると、スライダーＤが図５の左方へ移動され、スライダーＤに設けられたロックボルト係合ピン６９がロックボルトＣに係合してロックボルトＣを９０°回転させる。ロックボルトＣは、図１に示したロック解除姿勢から９０°回転されることにより、ロック杆４５がスリット４７の長手方向に直交する方向に配置され（図５の状態）、蓋体７は、ロック杆４５を介してケース本体５に施錠状態となる。
【００２６】
この施錠状態において、プレートキーＧが引き抜かれると、ラッチＢが再び係止位置に配置される。同時に規制板Ｅが圧縮バネ８５によって付勢されて再び挿入空間３５へ突出され、タンブラー５５ｃ上に配置される。タンブラー５５ｃは、規制板Ｅが上方へ移動されることにより押下され、係止突起６５，６５が錠本体Ａの係止溝に係止される。
【００２７】
なお、他のタンブラー５５ａ，５５ｂも、プレートキーＧが抜かれると、圧縮スプリング６１，６１の付勢力によって傾斜配置等とされ、錠本体Ａの係止溝に係止することとなるが、これらタンブラー５５ａ，５５ｂの場合は、圧縮スプリング６１，６１に付勢された状態で係止位置に、可動可能に配置されるのであって、規制板Ｅに押下されることで、可動不能に係止状態の位置に強制配置されるタンブラー５５ｃとは係止状態が異なる。
【００２８】
上記のケース用施錠装置１００によれば、プレートキーＧの挿入によってスライダーＤを移動させ、ロックボルトＣをロック解除姿勢へ回転させるケース用施錠装置１００において、押下した少なくとも一つのタンブラー５５ｃを係止状態に配置させるとともに、プレートキーＧの挿入によって挿入空間３５から押出されてタンブラー５５ｃの押下を解除する規制板Ｅを設けたので、タンブラー５５ｃが規制板Ｅの押下によって、強制的に錠本体Ａ側へ係止固定され、すなわち、挿入空間３５に、合鍵とは異なる鍵（異鍵）が挿入されている状態のように、タンブラー５５ｃを係止状態に維持させる。そしてこのことから、タンブラー５５ｃが圧縮スプリング６１の付勢力によって係止位置に配置されるのみの場合に比べ、衝撃や振動に対する対抗力を強くすることができる。したがって、衝撃等が加えられても、タンブラー５５ｃの係止が解除されたり、スライダーＤが慣性力によって微動し、その繰り返しによってロックボルトＣがロック解除姿勢まで回転されてしまう事態を防止することができる。
【００２９】
また、少なくとも一つのタンブラー５５ｃが規制板Ｅによって覆い隠されるので、タンブラー５５ａ，５５ｂ，５５ｃの全てが視認できなくなり、ピッキングを困難にすることができる。
【００３０】
さらに、スライダーＤに押込み力を加えながら、細棒等を挿入してタンブラー５５ａ，５５ｂ，５５ｃを不正操作するピッキングが行われても、その都度、規制板Ｅが圧縮バネ８５によって挿入空間３５へ突出されてきてタンブラー５５ｃを覆うので、全てのタンブラー５５ａ，５５ｂ，５５ｃを同時にシアーラインに一致させるピッキングを困難にできる。
【００３１】
この結果、振動・衝撃による不意な解錠や、ピッキングによる不正な解錠を阻止して、ケース用施錠装置１００の信頼性、防犯性を向上させることができる。
【００３２】
なお、上記した実施の形態では、圧縮バネ８５が規制板ＥとスライダーＤとの間に設けられる場合を例に説明したが、本発明に係るケース用施錠装置は、圧縮バネ８５を、スライダーＤを貫通させて設け、錠本体Ａの内壁に支持させる構造としてもよい。つまり、この構造によれば、規制板Ｅは、錠本体Ａの内壁から反力を受けて挿入空間３５へ突出されることとなる。
このような構成とすれば、規制板Ｅとタンブラー５５ｃとの接触摩擦力によって、圧縮バネ８５の付勢力をスライダーＤへ作用させることができ、これにより、スライダーＤへの付勢力を増大させ、振動・衝撃によるスライダーＤの移動を生じ難くすることができる。
【００３３】
また、上記のように、スライダーＤを貫通させて圧縮バネ８５の支持を錠本体Ａからとれば、一つの圧縮バネ８５によってスライダーＤ及び規制板Ｅを同時に付勢することができ、圧縮コイルバネ５３を省略して部品点数を少なくすることもできる。
【図面の簡単な説明】
【００３４】
【図１】本発明に係るケース用施錠装置の解錠状態の断面図である。
【図２】スライダー、プレートキーの斜視図である。
【図３】図２に示したスライダーの拡大斜視図である。
【図４】プレートキーが挿入されたケース用施錠装置の断面図である。
【図５】プレートキーによりスライダーが移動されロックボルトがロック姿勢となった状態の断面図である。
【図６】ケース用施錠装置の設けられたスーツケースの上面図である。
【図７】図６のスーツケースに設けられたケース用施錠装置とそのプレートキーの平面図である。
【符号の説明】
【００３５】
７…蓋体
５…ケース本体
３５…挿入空間
５５ａ〜５５ｃ…タンブラー
１００…ケース用施錠装置
Ａ…錠本体
Ｃ…ロックボルト
Ｄ…スライダー
Ｅ…規制板
Ｇ…合鍵（プレートキー）
【図１】
2006037460.tif 000003
【図２】
2006037460.tif 000004
【図３】
2006037460.tif 000005
【図４】
2006037460.tif 000006
【図５】
2006037460.tif 000007
【図６】
2006037460.tif 000008
【図７】
2006037460.tif 000009